(57)【要約】【課題】飾り枠が担う遊技機枠としての前面意匠の作りやすさを図る。【解決手段】飾り枠１０は透過性パネル１１とカバー１２；１３とを備えるとともに、ガラスまたは合成樹脂により前壁部１４の両側から後側に突出する左右側壁部１５；１６からなる単一体であって、裏面には被覆層１７が前壁部１４における中央の透過領域１８を中抜きした形態で形成され、被覆層１７は透過性パネル１１の裏面に付された黒色系になっており、そして、人が透過性パネル１１の前側から被覆層１７を見ると、被覆層１７で視線が遮られて、透過性パネル１１の裏側に存在するものを見ることはできないが、被覆層１７の裏側で光源を点灯すると、当該光源の光が被覆層１７を透過し、その光を人が透過性パネル１１の前側から見えるようになっている。【選択図】        図１
2004188053.tif 000002
【特許請求の範囲】
【請求項１】
遊技機設置設備に取り付けられる固定枠と、固定枠に開閉可能に取り付けられた可動枠と、可動枠の前側に開閉可能に配置されて前面意匠を担う飾り枠とからなる遊技機枠において、飾り枠が透過性パネルと透過性パネルの裏面で透過領域を中抜き形成する被覆層とを備えたことを特徴とする遊技機枠。
【請求項２】
透過性パネルが前壁部と前壁部の両側から後側に突出する左右側壁部からなる単一体に形成されたことを特徴とする請求項１記載の遊技機枠。
【請求項３】
透過性パネルの上下開放部が別体のカバーで閉鎖されたことを特徴とする請求項２記載の遊技機枠。
【発明の詳細な説明】
【０００１】
【発明の属する技術分野】
本発明はパチンコ機やスロットマシンなどの遊技機に用いられる遊技機枠であって、特に、前部構造に関する。
【０００２】
【従来の技術】
従来のパチンコ機に用いられる遊技機枠は、島と呼ばれるような遊技機設置設備に取り付けられる額縁状の固定枠に額縁状の可動枠をヒンジで前側横方向に片開き可能に取り付け、この可動枠に遊技盤を交換可能に装着する一方、可動枠または固定枠にヒンジで前側横方向に片開き可能に取り付けられた飾り枠を閉じることで、遊技者が遊技機枠の前側から飾り枠の中央に設けられたガラスまたは合成樹脂からなる透過性パネルを通して遊技盤の遊技領域を見えるようになっている（例えば、特許文献１参照）。
【０００３】
【特許文献１】
特開平９−１３１４５７号公報（第２頁、段落番号００１２、図１）
【０００４】
【発明が解決しようとする課題】
しかしながら、従来例は、飾り枠が中央に開口部を形成し、開口部を別体の透過性パネルで被覆するように透過性パネルを飾り枠に取り付けた構造であるため、透過性パネル周りの前面意匠を前面に膨出させて立体的に作る場合、飾り枠が大形な単一体となることから、飾り枠の強度を高くして形状保持をする必要があり、コストダウンを図るにも限度があるという問題点があった。
【０００５】
そこで、本発明は、飾り枠が担う前面意匠を作りやすくすることができる遊技機枠を提供するものである。
【０００６】
【課題を解決するための手段】
本発明にあっては、遊技機設置設備に取り付けられる固定枠と、固定枠に開閉可能に取り付けられた可動枠と、可動枠の前側に開閉可能に配置されて前面意匠を担う飾り枠とからなる遊技機枠において、飾り枠が透過性パネルと透過性パネルの裏面で透過領域を中抜き形成する被覆層とを備えたことによって、飾り枠に表示灯部品を設けずに、当該表示灯部品を透過性パネルにおける被覆層の裏側に配置することができ、飾り枠が前面意匠を作りやすくすることができる。また、本発明にあっては、透過性パネルが前壁部と前壁部の両側から後側に突出する左右側壁部からなる単一体に形成されれば、透過性パネルが可動枠から前側に突出した立体意匠を形成することができる。また、本発明にあっては、透過性パネルの上下開放部が別体のカバーで閉鎖されれば、透過性パネルにおける上下部分の意匠をカバーで表現することができる。
【０００７】
【発明の実施の形態】
図１−図３は一実施形態であって、図１は飾り枠１０を分解した遊技機枠１の外観を示し、図２は飾り枠１０を取り付けた遊技機枠１の外観を示し、図３は遊技機枠１の横方向に切断した断面を示す。図３では固定枠２の図示が省略されている。
【０００８】
図１を参照し、遊技機枠１について説明する。遊技機枠１では額縁状の固定枠２の前側に額縁状の可動枠３がヒンジ４で前側横方向に片開き可能に取り付けられる。固定枠２は遊技店の遊技機設置設備に取り付けられる枠である。可動枠３には図３の遊技盤５を交換可能に装着するための盤収納室６、施錠装置７、受皿８、発射操作機構９を備える。
【０００９】
飾り枠１０は透過性パネル１１とカバー１２；１３とを備える。透過性パネル１１はガラスまたはポリカーボネートのような合成樹脂により前壁部１４の両側から後側に突出する左右側壁部１５；１６からなる単一体である。透過性パネル１１の裏面には被覆層１７が前壁部１４における中央の透過領域１８を中抜きした形態で形成される。換言すると、被覆層１７は透過領域１８を囲む形態である。被覆層１７は例えばミラー加工により透過性パネル１１の裏面に付された黒色系である。そして、人が透過性パネル１１の前側から被覆層１７を見ると、被覆層１７で視線が遮られて、透過性パネル１１の裏側に存在するものを見ることはできないが、被覆層１７の裏側でＬＥＤやフィラメント球などの光源２５を点灯すると、当該光源２５の光が被覆層１７を透過し、その光を人が透過性パネル１１の前側から見えるようになっている。
【００１０】
透過性パネル１１の左側部にはヒンジ１９が取り付けられる。透過性パネル１１の右側部にはロック受部２０が取り付けられる。透過性パネル１１の上下部には合成樹脂からなる別体のカバー１２；１３が取り付けられる。カバー１２；１３に形成された溝２１；２２が前壁部１４および左右側壁部１５；１６の端部に嵌め込まれるとともに接着剤で結合されることによって、カバー１２；１３が透過性パネル１１の上下開放部を閉鎖する。透過性パネル１１の裏側には表示灯部品２３が配置される。表示灯部品２３は可動枠３の盤収納室６周りに取り付けられる基板２４に光源２５を取り付けた形態である。基板２４は単一体であっても分割体であってもよい。
【００１１】
本実施形態では表示灯部品２３が可動枠３の盤収納室６周りに取り付けられ、透過性パネル１１とカバー１２；１３との組み合わされた飾り枠１０のヒンジ１９が可動枠３における左側壁の前面に固定されることで、飾り枠１０が可動枠３に前側横方向に片開き可能に取り付けられる。飾り枠１０のヒンジ１９はヒンジ４と同じ側に設けられる。そして、飾り枠１０が閉じられることで、遊技機枠１が図１に示す形態となる。ヒンジ１９は固定枠２に取り付ける形状であってもよい。
【００１２】
図２に示すように、飾り枠１０が閉じられることで、可動枠３に設けられた図外のロック機構が飾り枠１０のロック受部２０に嵌め合わされ、飾り枠１０の閉じ状態が保持される。その状態において、施錠装置７に図外のキープレート（鍵）を前側から差し込んで例えば左側に９０度回転操作すると、施錠装置７が上記ロック機構を可動し、当該ロック機構とロック受部２０との嵌め合いが解除され、飾り枠１０を開くことが可能となる。上記施錠装置７に差し込まれたキープレートが右側に９０度回転操作されると、施錠装置７が固定枠２と可動枠３とのロック機構をアンロックし、可動枠３を開くことが可能となる。
【００１３】
図３に示すように、遊技盤５が可動枠３の盤収納室６に装着され、表示灯部品２３が可動枠３の盤収納室６周りの前面に取り付けられ、飾り枠１０が閉じられてロックされることによって、遊技盤５の前面である意匠盤面のガイドレール２６で囲まれた内側の遊技領域２７と飾り枠１０の透過領域１８とが前後方向で対応する。遊技領域２７には遊技釘２８や図外の入賞部品などが取り付けられる。その状態において、遊技者が前側から遊技機枠１を見ると、透過領域１８を通して遊技領域２７および遊技領域２７に飛び交う球を視認することができる。また、表示灯部品２３の光源２５が消灯している場合、遊技者は被覆層１７で視線が遮られるので、透過性パネル１１の裏側に存在する表示灯部品２３や遊技盤５におけるガイドレール２６よりも外側の非遊技領域は遊技者から見えない。そして、光源２５が点灯すると、遊技者は光源２５でバックライト照明された被覆層１７を見ることができる。
【００１４】
本実施形態によれば、飾り枠１０を可動枠３の前側を覆う透過性パネル１１の裏面に透過領域１８を中抜き形成した被覆層１７を付した構造であるので、透過性パネル１１の裏側に配置される表示灯部品２３はレンズカバーが不要となる。しかも、表示灯部品２３が透過性パネル１１の裏側に配置されることから、飾り枠１０が閉じられた遊技可能な状態において、遊技者が表示灯部品２３に触れることができないので、表示灯部品２３の強度は低くてもよい。このようなことから、表示灯部品２３には強度を必要としないローコスト材料や製造コストの安いブロー成形品を使用することができる。
【００１５】
透過性パネル１１の被覆層１７と対応する前面に図３に仮想線で示すような意匠構成体２９を接着剤または不乾性の貼着剤で取り付ければ、飾り枠１０の前面意匠を遊技盤５の機種替えに合わせて交換することができる。要するに、飾り枠１０の担う全体的な意匠が、遊技盤５の機種替えにでも交換しない共通使用し得る部分である透過性パネル１１と、変更使用する部分としての表示灯部品２３や意匠構成体２９とに分別構成されているので、使い勝手のよい遊技機枠１を提供することができる。また、遊技盤５の機種替えに合わせて意匠構成体２９および表示灯部品２３を交換することで、飾り枠１０の新しさを遊技者に訴えることができる。
【００１６】
透過性パネル１１を前壁部１４、左右側壁部１５；１６および図外の上下壁部を有する単一体としてもよいが、図１に示すように透過性パネル１１が上下で開放された形態であれば、押出成形法が使えるので、上記上下壁部を有する押出成形法の使えない単一体の場合に比べ、安価に製造することが可能となる。
【図面の簡単な説明】
【図１】一実施形態の遊技機枠を示す分解斜視図。
【図２】同実施形態の遊技機枠を示す斜視図。
【図３】同実施形態の遊技機枠を示す横断面図。
【符号の説明】
１  遊技機枠
２  固定枠
３  可動枠
１０  飾り枠
１１  透過性パネル
１２  カバー
１３  カバー
１４  前壁部
１５  左側壁部
１６  右側壁部
１７  被覆層
１８  透過領域
【図１】
2004188053.tif 000003
【図２】
2004188053.tif 000004
【図３】
2004188053.tif 000005